(57)【要約】      （修正有）【課題】センサによりユーザーの動作を検出し、ユーザーの必要に応じて命令を実行できるヘッドホンを提供する。【解決手段】このヘッドホンはヘッドバンド部１とイヤホン部２を具え、イヤホン部２はヘッドバンド部１の端部に位置決めされ並びに接合構造３により回転自在にヘッドバンド部１に接合されている。検出部は、ヘッドホン内に設けられ、圧力センサＰを包含し、圧力センサＰは検出面Ｔを具え、ヘッドホンが安置される時、検出面Ｔとヘッドホン内の構造は隙間を保持し、ヘッドホンが装着され支持されると、ヘッドホン内の構造に変形或いは移動が発生し、それにより隙間が消失して圧力センサＰが押圧される。ヘッドホンは圧力センサＰによりヘッドホンが安置されているか否かを検出し、この信号を受け取ることで命令を判読し、ヘッドホンに知能化使用方法を提供させる。【選択図】図３
0003192879.tif 000002
【実用新案登録請求の範囲】
【請求項１】
ヘッドホンにおいて、
ヘッドホン装置であって、ヘッドバンド部とイヤホン部を具え、該イヤホン部は該ヘッドバンド部の端部に位置決めされ並びに接合構造により回転自在にヘッドバンド部に接合されている、上記ヘッドホン装置と、
検出部であって、該ヘッドホン装置内に設けられ、圧力センサを包含し、該ヘッドホン装置が支持を受けた後に発生する変形或いは移動を検出するのに用いられる検出面を具えた、上記検出部と、
を包含することを特徴とする、ヘッドホン。
【請求項２】
請求項１記載のヘッドホンにおいて、該ヘッドホンが安置される時、該検出面とヘッドホン内の構造は間隙を保持し、ヘッドホンが装着され支持されると、ヘッドホン内の構造に変形或いは移動が発生し、それにより隙間が消失して該圧力センサが押圧されることを特徴とする、ヘッドホン。
【請求項３】
請求項２記載のヘッドホンにおいて、上述の検出部は撓み性ヘッドバンドとヘッドパッドを包含し、該撓み性ヘッドバンドは該ヘッドパッドの上方に設置され、そのうち、撓み性ヘッドバンドとヘッドパッドの間には退位空間があり、圧力センサは該退位空間内の撓み性ヘッドバンド上に設置され、ヘッドパッド上の圧力センサに対向する部分には接触部が設けられていることを特徴とする、ヘッドホン。
【請求項４】
請求項２記載のヘッドホンにおいて、上述の検出部は撓み性ヘッドバンドとヘッドパッドを包含し、該撓み性ヘッドバンドは該ヘッドパッドの上方に設置され、そのうち、撓み性ヘッドバンドとヘッドパッドの間には退位空間があり、圧力センサは該退位空間内のヘッドパッド上に設置され、撓み性ヘッドバンドの該圧力センサに対向する部分には接触部が設けられていることを特徴とする、ヘッドホン。
【請求項５】
請求項３記載のヘッドホンにおいて、上述のヘッドパッドは軟性材質とされることを特徴とする、ヘッドホン。
【請求項６】
請求項２記載のヘッドホンにおいて、上述の検出部は前カバーと後カバーを包含し、それは対向するよう設置されて上述の接合構造により枢接され、該前カバーの後カバーと対向する表面及び背向する面はそれぞれ第１面と第２面と定義され、後カバーの前カバーと対向する表面及び背向する面はそれぞれ第３面と第４面と定義され、前カバー中部に盆状部があり、盆状部は第１面の中部において突出し、接合構造は押し板と関節シートを包含し、該押し板は回転子と少なくとも一つの、回転子の側縁より延伸されたサスペンションアームを具え、該関節シートは該第２面により該盆状部内に設置され、関節シート及び盆状部内に共同で該前カバーと関節シート表面を垂直に貫通する結合空間が設置され、結合空間より第１面に向けて水平方向にサスペンションアームに対応する溝が延伸され、上述の後カバーの中部に、盆状部に対応する貫通孔が形成され、上述の押し板は第４面により該貫通孔部分に取り付けられ、そのうち、回転子は該貫通孔内に設置され、第１面は第３面に対向し盆状部を貫通孔内に進入させ、その結合空間を回転子に結合させ、溝はサスペンションアームに結合され、そのうち、サスペンションアームと溝の間に譲位空間があり、前カバーと後カバーの間に弾性部品が設置され、上述の圧力センサの検出面は後カバーと前カバーの間に伸入することを特徴とする、ヘッドホン。
【請求項７】
請求項６記載のヘッドホンにおいて、上述の関節シートと盆状部は一体成形されることを特徴とする、ヘッドホン。
【請求項８】
請求項６記載のヘッドホンにおいて、上述の貫通孔の両側に該サスペンションアームに対応して係止溝が延伸され、該係止溝は該第４面に向けて開口が形成され、上述のサスペンションアームの末端より平板が延伸され、該平板と該係止溝底部の間に譲位空間が保留されることを特徴とする、ヘッドホン。
【請求項９】
請求項８記載のヘッドホンにおいて、上述の平板上には一対のガイド孔があり、該係止溝内に一対のガイド柱があり、該平板は該係止溝内に設置されて、該ガイド孔に該ガイド柱が挿入されることを特徴とする、ヘッドホン。
【請求項１０】
請求項９記載のヘッドホンにおいて、さらに無線送受信装置を包含し、それはコントロールモジュール、アンテナモジュール及び電源モジュールを具え、コントロールモジュールは該圧力センサ、アンテナモジュール、及び電源モジュールに接続されることを特徴とする、ヘッドホン。
【考案の詳細な説明】
【技術分野】
【０００１】
本考案は一種のヘッドホンに係り、さらに具体的には、一種のセンサを具えたヘッドホンに関する。
【背景技術】
【０００２】
音楽品質に対する要求が高いユーザーにとって、ヘッドホンで音楽を聴くことは、よりよいサウンドイフェクトを有し、且つ良好に遮音でき、好ましい。しかし、音楽を聴く過程で、外界干渉を受けて一旦ヘッドホンを外す必要があるのはしかたのないことであり、遮音効果が良好であるため、ユーザーが周辺環境の音に注意しなければならない場合は、必ずヘッドホンを外さなければ、周辺環境の音を聴くことはできず、このとき聴いていた音楽は引き続いて再生され、ユーザーが再度ヘッドホンを装着する時には、音楽の状況はすでに変化しており、このとき、ユーザーは心情を音楽環境に改めて合わせなければならず、音楽に対するフィーリングが大幅にダウンしてしまう。
【０００３】
これにより、ユーザーによっては、プレイヤーを一時停止させた後に、ヘッドホンを外し、これにより音楽は中断されるが、ヘッドホンを再び装着した後、ユーザーは前の音楽に対するフィーリングを回想でき、前回の音楽一時停止前の情緒を継続でき、これにより情緒を継続させて音楽を享受できる。
【０００４】
しかし、毎回ヘッドホンを外さねばならない状況は異なり、ユーザーは一時停止ができなかったり或いは一時停止することを覚えていなかったりする。これにより、ヘッドホンを外した後の音楽情緒を失ってしまい。フィーリングが大事な楽曲にたいしては非常に残念なことである。
【０００５】
既存の電子製品はますます知能化サービスが求められるようになっており、ユーザーの状況に応じて自動でユーザーに便利なサービスを提供できるようになっており、たとえばスマートホン及びスマート家電等があり、且つ応用される電子製品はますます広範となっている。本考案者は、ヘッドホンの有する不便を鑑み、一種の知能化サービスを有して主動的にユーザーのために上述の問題を解決するヘッドホンを提供しようとする。
【０００６】
これを鑑み、ヘッドホンをユーザーに主動式サービスを提供できるものとし、並びに上述の問題を解決するため、一種の、センサによりユーザーの動作を検出するヘッドホンを提供し、これによりユーザーの必要に応じて命令を実行できるようにする。
【考案の概要】
【考案が解決しようとする課題】
【０００７】
本考案の目的は、既存の技術の不足に対して、一種のヘッドホンを開示し、それは、一種の、センサによりユーザーの動作を検出するヘッドホンであり、これによりユーザーの必要に応じて命令を実行できるようにする。
【課題を解決するための手段】
【０００８】
上述の目的を達成するため、本考案は一種のヘッドホンを開示し、それは、ヘッドバンド部とイヤホン部を具え、該イヤホン部は該ヘッドバンド部の端部に位置決めされ並びに接合構造により回転自在にヘッドバンド部に接合されている。検出部は、ヘッドホン内に設けられ、圧力センサを包含し、該圧力センサは検出面を具え、ヘッドホンが安置される時、該検出面とヘッドホン内の構造は隙間を保持し、ヘッドホンが装着され支持されると、ヘッドホン内の構造に変形或いは移動が発生し、それにより隙間が消失して該圧力センサが押圧される。
【０００９】
ある実施例において、検出部は撓み性ヘッドバンドとヘッドパッドを包含し、撓み性ヘッドバンドはヘッドパッドの上方に設置され、そのうち、撓み性ヘッドバンドとヘッドパッドの間には退出空間があり、圧力センサは該退出空間内の撓み性ヘッドバンド上に設置され、ヘッドパッド上の圧力センサに対向する部分には接触部が設けられている。
【００１０】
ある実施例において、上述の圧力センサは退出空間内のヘッドパッド上に設置され、接触部は圧力センサと対向する部分の撓み性ヘッドバンド上に設置される。
【００１１】
上述のヘッドパッドは軟性材質とされる。
【００１２】
ある実施例において、検出部は前カバーと後カバーを包含し、それは対向するよう設置されて上述の接合構造により枢接され、該前カバーの後カバーと対向する表面及び背向する面はそれぞれ第１面と第２面と定義され、後カバーの前カバーと対向する表面及び背向する面はそれぞれ第３面と第４面と定義され、前カバー中部に盆状部があり、盆状部は第１面の中部において突出し、接合構造は押し板と関節シートを包含し、該押し板は回転子と少なくとも一つの、回転子の側縁より延伸されたサスペンションアームを具え、該関節シートは該第２面により該盆状部内に設置され、関節シート及び盆状部内に共同で該前カバーと関節シート表面を垂直に貫通する結合空間が設置され、結合空間より第１面に向けて水平方向にサスペンションアームに対応する溝が延伸され、上述の後カバーの中部に、盆状部に対応する貫通孔が形成され、上述の押し板は第４面により該貫通孔部分に取り付けられ、そのうち、回転子は該貫通孔内に設置され、第１面は第３面に対向し盆状部を貫通孔内に進入させ、その結合空間を回転子に結合させ、溝はサスペンションアームに結合され、そのうち、サスペンションアームと溝の間に譲位空間があり、前カバーと後カバーの間に弾性部品が設置され、上述の圧力センサの検出面は後カバーと前カバーの間に伸入する。
【００１３】
ある実施例において、上述の関節シートと盆状部は一体成形される。
【００１４】
さらに、上述の貫通孔の両側にサスペンションアームに対応して係止溝が延伸され、係止溝は第４面に向けて開口が形成され、上述のサスペンションアームの末端より平板が延伸され、該平板と該係止溝底部の間に譲位空間が保留される。
【００１５】
さらに、上述の平板上には一対のガイド孔があり、該係止溝内に一対のガイド柱があり、該平板は該係止溝内に設置されて、該ガイド孔に該ガイド柱が挿入される。
【００１６】
ある実施例において、ヘッドホンはさらに無線送受信装置を包含し、それはコントロールモジュール、アンテナモジュール及び電源モジュールを具え、コントロールモジュールは該圧力センサ、アンテナモジュール、及び電源モジュールに接続される。
【考案の効果】
【００１７】
本考案のヘッドホンは圧力センサでヘッドホンが安置されているか否かを検出し、これにより装置がこの信号を受け取って音楽の一時停止或いは再生、電源のオン又はオフの命令或いはその他の知能命令を判読するのに用い、これにより、ヘッドホンに知能化使用方法を提供させられる。
【図面の簡単な説明】
【００１８】
【図１】本考案のヘッドホンの立体図である。
【図２】本考案のヘッドホンの検出部の簡易表示図である。
【図３】本考案のヘッドホンの検出部をヘッドバンド部上に設置した局部断面図である。
【図４】本考案のヘッドホンの検出部を接合構造に設置した立体分解図である。
【図５】図４の押し板の立体図である。
【図６】図４の関節シートの立体図である。
【図７】図４の前カバーの局部拡大図である。
【図８】本考案のヘッドホンを無線イヤホンに応用した実施例図である。
【考案を実施するための形態】
【００１９】
本考案の技術内容、構造特徴、その達成する目的及び作用効果を詳細に説明するため、以下に具体的実施例を挙げ、図面と組み合わせて詳しく説明する。
【００２０】
本考案はユーザーがヘッドホンを装着した後、ヘッドホンが発生する構造変化によりユーザーが使用状態にあるか否かを検出し、具体的に述べると、装着の過程で、ヘッドホンのヘッドバンド部がまず弾性拡張させられて、使用者の頭部形状にマッチさせられ、続いて、イヤホンがヘッドバンドと連結する関節により、使用者の顔形に合うように角度調整され、ヘッドバンド自身及びヘッドバンドとイヤホンの関節部分は、ヘッドホンが装着される時、及び取り外される時のいずれも、変形を発生し、本考案はこの変形により使用者の動作を検出する。
【００２１】
図１を参照されたい。本考案のヘッドホンはヘッドホン装置１００及び検出部を包含する。該検出部はヘッドホン装置１００内に設けられ並びにヘッドホン装置１００と接続され、上述の検出部はヘッドホンの弾性変化の検出装置とされる。
【００２２】
ヘッドホン装置１００はヘッドバンド部１及びイヤホン部２を包含する。イヤホン部２はヘッドバンド部１の端部に位置決めされ、並びに接合構造３により回転自在にヘッドバンド部１に接合される。
【００２３】
図２を参照されたい。検出部は上部、下部及び圧力センサＰを包含し、上部と下部は対向するよう設置され、圧力センサＰは上部と下部の間に設置され、それは検出面Ｔを具え、そのうち上部と下部はヘッドホン装置１００内の構造により形成される。
【００２４】
圧力センサＰによりヘッドホンの動作を検出するため、上部と下部はヘッドホンが安置されている時、検出面Ｔ上である間隙を保持し、ヘッドホンが支持を受けた後、上部と下部は接近して間隙が消失し、これにより圧力センサＰが押圧される。
【００２５】
図３を参照されたい。ヘッドバンド部１上に検出部が設けられた実施例によると、ヘッドバンド構造の弾性によりもたらされる移動により間隙が消失させられ、これにより圧力センサＰが押圧され、それはいずれもＵ形をなす撓み性ヘッドバンド１０及びヘッドパッド１１を包含し、撓み性ヘッドバンド１０は上部とされ、ヘッドパッド１１は下部とされ、撓み性ヘッドバンド１０はヘッドパッド１１の上方に設置され、そのうち、撓み性ヘッドバンド１０とヘッドパッド１１の間には退位空間１２があり、圧力センサＰは退位空間１２内の撓み性ヘッドバンド１０上に設置され、ヘッドパッド１１上の、圧力センサＰに対向する位置には接触部１３が設置され、ヘッドホンが安置されている時、接触部１３と検出面Ｔはある距離を保持し、且つヘッドパッド１１は軟性材質、たとえばゴムで形成され、接触部１３は突起構造或いは平面構造に限定されない。
【００２６】
その他の実施例において、圧力センサＰは退位空間１２内のヘッドパッド１１上に設置され、接触部１３は圧力センサＰに対向する部分の撓み性ヘッドバンド１０上に設置される。
【００２７】
二種類の長さの異なる板形部品の端部と端部を接続する必要があれば、長い方の部品を折り曲げて前後２点の距離を比較的短い部品の長さと同じとして初めて前後を接続でき、且つこのとき、二つの板形部品の間には開口が出現し、もし板形部品を折り曲げると、板と板との間の開口距離が変化し、それにより、撓み性ヘッドバンド１０とヘッドパッド１１は折り曲げ後に接触部１３と検出面Ｔ間の距離を消失させて、これにより相互に接近させ且つ相互に接触させる。
【００２８】
撓み性ヘッドバンド１０はユーザーにより張り開かれた後、ヘッドパッド１１は引き伸ばされて接触部１３が撓み性ヘッドバンド１０の表面に向けて移動させられ、接触部１３が検出面Ｔに接触するか、或いはユーザーのヘッドホンを装着した後頭部がヘッドパッド１１に接触した後、接触部１３が直接押圧されて検出面Ｔと接触し、これにより接触信号が取得される。
【００２９】
図４から図７も参照されたい。それは接合構造３が検出部を具えた実施例であり、それはヘッドバンド部１及びイヤホン部２の間の枢接部分とされ、枢接部分の回転により、圧力センサＰに接触し、これにより、圧力センサＰの接触信号を受け取る。本実施例中、前カバー４及び後カバー５を包含し、前カバー４は上部、後カバー５は下部とされ、それはヘッドバンド部１及びイヤホン部２の接続部分のカバー体であり、前カバー４は後カバー５に対向するよう設置され並びに接合構造３により枢接される。前カバー４の後カバー５と対向する表面および背向する面はそれぞれ第１面４０及び第２面４１と定義され、後カバー５の前カバー４と対向する表面及び背向する面はそれぞれ第３面５０と第４面５１と定義される。
【００３０】
前カバー４中部には方形の盆状部４２があり、盆状部４２は第１面４０の中部において突出している。
【００３１】
接合構造３は押し板３０及び関節シート３１を包含し、押し板３０は回転子３０１及び少なくとも一つの回転子３０１の側端より延伸されたサスペンションアーム３０２を具え、サスペンションアーム３０２の末端より平板３０３が延伸され、平板３０３に一対のガイド孔３０４が設けられている。
【００３２】
関節シート３１は第２面４１により盆状部４２内に設置され、関節シート３１及び盆状部４２内に共同で前カバー４及び関節シート３１表面を垂直に貫通する結合空間４２１が設置され、結合空間４２１は第１面４０に向けて水平方向に少なくとも一つのサスペンションアームに対応する溝４２２が延伸され、溝４２２は関節シート３１の表面より延伸されて上向きに盆状部４２を貫通し、及び延伸方向の盆状部４２の両側を貫通する。
【００３３】
上述の後カバー５の中部に、盆状部４２に対応する貫通孔５２が形成され、それは第３面５０及び第４面５１を貫通し、貫通孔５２の両側は平板３０３に対応して係止溝５３が延伸され、係止溝５３は第４面５１に向けて開口が形成され、係止溝５３内に一対のガイド柱５４を具えている。
【００３４】
上述の押し板３０は、第４面５１により、貫通孔５２部分に取り付けられ、その平板３０３は係止溝５３内に取り付けられ、ガイド孔３０４にガイド柱５４が通され、前カバー４の第１面４０は第３面５０に対向し、これにより盆状部４２は貫通孔５２内に進入し、その結合空間４２１を回転子３０１に結合させ、溝４２２はサスペンションアーム３０２に結合される。注意が必要であることは以下のとおりである。サスペンションアーム３０２と溝４２２及び平板３０３と係止溝５３底部の間には押し板３０の活動のために譲位空間を保留する必要があり、回転子３０１は関節シート３１上に固定され、並びに平板３０３により係止溝５３を押圧して前カバー４と後カバー５を係合させ、前カバー４と後カバー５の間に弾性部品Ｓが設けられて、前カバー４と後カバー５の相対角度を調整して、前カバー４と後カバー５の接合部分に弾性回復力を具備させ、弾性部品Ｓはスプリング、ゴム、板バネ、或いはその他の軸方向に伸縮能力を有する同類の部品とされる。
【００３５】
上述の関節シート３１の結合空間４２１と回転子３０１の結合は、前カバー４と後カバー５の間の回転を可能とするために用いられ、それは球体状関節、半球体状関節とされるほか、前カバー４と後カバー５の間の枢接回転の構造であればよい。
【００３６】
続いて圧力センサＰが前カバー４上に設置され、圧力センサＰの検出面Ｔが後カバー５と前カバー４の間に伸入する。説明が必要であることは、圧力センサＰはどこに設置されるかの制限はなく、ただ検出面Ｔと押し板３０を対向させればよい。
【００３７】
その他の実施例中では、上述の関節シート３１と盆状部４２は一体成形される。
【００３８】
上述の実施例から分かるように、ヘッドホンの使用時の活動部分は圧力センサＰにより活動が検出され得る。
【００３９】
上述の接触信号は、制御装置により送受信装置に送られた後、ヘッドホンに対して操作制御を行ない、たとえば、音楽の一時停止或いは再生、電源のオン又はオフ等の動作の制御が行なわれる。
【００４０】
さらに、ヘッドホンを無線イヤホンに応用する時、図８に示されるように、無線送受信装置６を包含し、これにより無線の送受信を実現し、それは、コントロールモジュール６０、アンテナモジュール６１及び電源モジュール６２を包含し、コントロールモジュール６０は圧力センサＰ、アンテナモジュール６１及び電源モジュール６２に接続され、コントロールモジュール６０は電源モジュール６２の提供する電力及びアンテナモジュール６１が受け取った信号により、ヘッドホン装置１００を駆動する。コントロールモジュール６０が圧力センサＰが送った信号を受け取った後、ヘッドホンに対して操作制御を行ない、たとえば、音楽の一時停止又は再生、或いは電源のオンオフ等の動作を行ない、そのうち、アンテナモジュール６１は好ましくは、ブルートゥースアンテナモジュール６１とされる。
【００４１】
圧力センサＰは圧力抵抗式圧力センサ、セラミック圧力センサ、拡散型シリコン圧力センサ、或いはサファイヤ圧力センサ、或いは接触によりデジタル信号を発生できるセンサとされる。
【００４２】
その他の実施例中、ヘッドホンが安置されている時、ヘッドホン装置１００内の構造が検出面Ｔを押圧するものに交換することも可能で、それはヘッドホンが支持を受けた後、ヘッドホン装置１００内の構造が変形或いは移動を発生し、検出面Ｔとヘッドホン装置１００内の構造の間に間隙を発生する。
【００４３】
総合すると、本考案のヘッドホンは、圧力センサによりヘッドホンが安置されているか否かを検出し、これにより装置が信号を受け取って音楽の一時停止又は再生、電源のオンオフの命令動作或いはその他の知能命令を判読するのに用い、これにより、ヘッドホンに知能化使用方法を提供させる。
【符号の説明】
【００４４】
１００  ヘッドホン装置
１  ヘッドバンド部
１０  撓み性ヘッドバンド
１１  ヘッドパッド
１２  退位空間
１３  接触部
２  イヤホン部
３  接合構造
３０  押し板
３０１  回転子
３０２  サスペンションアーム
３０３  平板
３０４  ガイド孔
３１  関節シート
４  前カバー
４０  第１面
４１  第２面
４２  盆状部
４２１  結合空間
４２２  溝
５  後カバー
５０  第３面
５１  第４面
５２  貫通孔
５３  係止溝
５４  ガイド柱
６  無線送受信装置
６０  コントロールモジュール
６１  アンテナモジュール
６２  電源モジュール
Ｐ  圧力センサ
Ｔ  検出面
Ｓ  弾性部品
【図１】
0003192879.tif 000003
【図２】
0003192879.tif 000004
【図３】
0003192879.tif 000005
【図４】
0003192879.tif 000006
【図５】
0003192879.tif 000007
【図６】
0003192879.tif 000008
【図７】
0003192879.tif 000009
【図８】
0003192879.tif 000010